(57)【要約】【課題】  布等のシート状部材で作成して、少なくとも、帽子，ヘアバンド及びネックウォーマーとして形を変えて使用できるようにし、機能性の向上を図るとともに、収納性の向上を図り、更に、斬新なデザインにして品質の向上を図る。【解決手段】  縮小位置Ｓから拡張可能に形成され拡張されて頭部を被覆可能なシート状部材で形成された帽子部１を備え、帽子部１を縮小位置Ｓでその長手方向が頭部の縦軸を軸とする周方向に沿って頭部に付帯可能な一側表面２及び他側表面３を有した帯状に形成し、この帽子部１の長手方向両端部に帽子部１を頭部に保持するためのシート状部材で形成された帯状の保持部１０を連設した。帽子部１は、規則的に折り畳み形成され、帽子部１の縮小位置Ｓから長手方向に直交する一方側Ｒａに拡張する一方覆部１Ａ及び他方側Ｒｂに拡張する他方覆部１Ｂを備えて構成されている。【選択図】  図１
2012122172.tif 000002
【特許請求の範囲】
【請求項１】
縮小位置から拡張可能に形成され拡張されて頭部を被覆可能なシート状部材で形成された帽子部を備え、該帽子部を縮小位置でその長手方向が頭部の縦軸を軸とする周方向に沿って該頭部に付帯可能な一側表面及び他側表面を有した帯状に形成し、該帽子部の長手方向両端部に該帽子部を頭部に保持するためのシート状部材で形成された帯状の保持部を連設したことを特徴とする多機能衣料品。
【請求項２】
上記帽子部を、該帽子部の長手方向に直交する方向に縮小及び拡張可能になるように規則的に折り畳み形成したことを特徴とする請求項１記載の多機能衣料品。
【請求項３】
上記帽子部を、該帽子部の縮小位置における長手方向の中心線に対して該帽子部の縮小位置から該長手方向に直交する一方側に拡張する一方覆部及び他方側に拡張する他方覆部を備えて構成したことを特徴とする請求項２記載の多機能衣料品。
【請求項４】
上記一方覆部と他方覆部との拡張幅を異ならせたことを特徴とする請求項３記載の多機能衣料品。
【請求項５】
上記帽子部を、その長手方向に沿う一方辺，該一方辺に対向し上記長手方向に沿う他方辺，該一方辺と他方辺との間の一対の側辺を有した矩形状の布地を用い、該布地を縮小位置において所定幅になるように折り畳んで形成するとともに、上記縮小位置において、上記一方覆部を該帽子部の一側表面から他側表面に向けて上記一方側に露出する山部及び谷部が連続する蛇腹状に形成し、上記他方覆部を該帽子部の一側表面から他側表面に向けて上記他方側に露出する山部及び谷部が連続する蛇腹状に形成し、上記一方覆部と他方覆部との接合部が該帽子部の他側表面に露出するように形成し、該折り畳まれた布地の一対の側辺部を夫々縫合して形成したことを特徴とする請求項３または４記載の多機能衣料品。
【請求項６】
上記帽子部を、上記縮小位置において、上記布地の一方辺と他方辺とが対峙するように該一方辺と他方辺とを該帽子部の一側表面に露出して形成したことを特徴とする請求項５記載の多機能衣料品。
【請求項７】
上記布地の表裏面を互いに異なるデザインにしたことを特徴とする請求項５または６記載の多機能衣料品。
【請求項８】
上記保持部を、上記帽子部の長手方向両端部に基端部が夫々連設され互いに連結されて該帽子部を頭部に保持可能にする一対の帯状部材で構成したことを特徴とする請求項１乃至７何れかに記載の多機能衣料品。
【請求項９】
上記保持部を、上記帽子部の長手方向両端部に縫合されて架設される１つの帯状部材で構成したことを特徴とする請求項１乃至７何れかに記載の多機能衣料品。
【請求項１０】
上記保持部を伸縮可能にしたことを特徴とする請求項９記載の多機能衣料品。
【請求項１１】
上記保持部を袋状に形成し、該保持部内に一端が上記帽子部の長手方向一端部側に位置し他端が上記帽子部の長手方向他端側に位置するゴム紐を内装し、該保持部が上記ゴム紐の伸縮に対応できるように該ゴム紐の一端及び他端を縫合したことを特徴とする請求項１０記載の多機能衣料品。
【請求項１２】
上記保持部を袋状に形成し、該保持部の上記帽子部の長手方向一端部側に第１開口を形成し、上記保持部の上記帽子部の長手方向他端側に第２開口を形成し、
第１ゴム紐を上記第１開口から先端が突出可能で基端側が上記第２開口側に位置するように上記保持部内に挿入し、該第１ゴム紐の先端部が上記第２開口側の内部に入り込むことを阻止する第１阻止部を設け、上記第１ゴム紐の基端の上記保持部に対する移動を規制する第１規制部を設け、
第２ゴム紐を上記第２開口から先端が突出可能で基端側が上記第１開口側に位置するように上記保持部内に挿入し、該第２ゴム紐の先端部が上記第１開口側の内部に入り込むことを阻止する第２阻止部を設け、上記第２ゴム紐の基端の上記保持部に対する移動を規制する第２規制部を設け、
上記第１ゴム紐の先端部と上記第２ゴム紐の先端部とを互いに反対方向に引っ張ることにより上記保持部を縮めるようにしたことを特徴とする請求項１０記載の多機能衣料品。
【請求項１３】
上記第１ゴム紐及び上記第２ゴム紐を、夫々、ループ状に形成して二条の紐部が略平行になるようにし、上記第１阻止部，第２阻止部，第１規制部及び第２規制部を、夫々、対応するゴム紐の二条の紐部間であって該紐部に沿って形成され上記保持部を縫合して形成される縫合壁で構成したことを特徴とする請求項１２記載の多機能衣料品。
【請求項１４】
上記保持部を、一枚の矩形の布地を用い、互いに対向する一対の辺部同士を縫合して構成し、該縫合により長手方向に延びる袋縫い線を形成し、上記第１開口及び第２開口を、上記袋縫い線上に沿う非縫合部で構成したことを特徴とする請求項１１または１２記載の多機能衣料品。
【発明の詳細な説明】
【技術分野】
【０００１】
本発明は、頭部を中心に装身される多機能衣料品に係り、特に、帽子の機能を備えた多機能衣料品に関する。
【背景技術】
【０００２】
従来、この種の衣料品としては、例えば、実用新案登録第３１３９１２６号公報（特許文献１）に掲載されたものが知られている。図１３に示すように、この衣料品１００は、筒状に編み上げられた伸縮性のある編物品であって、一重の状態で筒状に編み上げられた筒状品を、二重に折り返し、折り返したときに形成される内側の筒状部１０１と外側の筒状部１０２が、その中心軸周りに互いにねじれた状態となるように、開口部１０１ａ,１０２ａ同士を縫い合わせている。伸縮性がある故に、ヘッドバンドに用い（図１３（ａ））、ねじれた状態で縫い合わせているので、反対側がすぼまることから、帽子にできる（図１３（ｂ））。また、ネックウォーマーとして使用することができる（図１３（ｃ））。
【０００３】
また、従来においては、例えば、実用新案登録第３０８３４５４号公報（特許文献２）に掲載されたものも知られている。図１４に示すように、この衣料品１１０は、頭部に嵌め込まれるバンド部１１１に庇１１２を設け、庇１１２が接続されたバンド部１１１の前側部１１３に、支え骨１１４に張設され縮拡可能な幌１１５を収納し、縮小時にはサンバイザーとして用い、拡張時には庇付の帽子として用いることができるようにしている。
【先行技術文献】
【特許文献】
【０００４】
【特許文献１】実用新案登録第３１３９１２６号公報
【特許文献２】実用新案登録第３０８３４５４号公報
【発明の概要】
【発明が解決しようとする課題】
【０００５】
ところで、上記従来の前者の衣料品１００にあっては、編み物品であることから、これを布等のシート状部材で作成した場合には、伸縮性が少ないことから、対応させにくいという問題があった。また、仮に、布等のシート状部材としても、筒状なので嵩張ることになり収納性に劣るという問題もある。更に、デザインもありふれているという欠点もある。
また、後者の衣料品１１０にあっては、幌１１５は縮拡可能であるが、支え骨１１４があるのでごつごつしており、フイット感が悪いという欠点がある。また、支え骨１１４をなくすると幌１１５の保持が不十分になる。更に、庇１１２もあることから収納性も悪くなっている。更にまた、前者の衣料品１００のように、ネックウォーマーとしては使用できないことから、機能性に劣っているという問題があった。
【０００６】
本発明は上記の点に鑑みて為されたもので、布等のシート状部材で作成して、少なくとも、帽子，ヘアバンド及びネックウォーマーとして形を変えて使用できるようにし、機能性の向上を図るとともに、収納性の向上を図り、更に、斬新なデザインにして品質の向上を図った多機能衣料品を提供することを目的とする。
【課題を解決するための手段】
【０００７】
このような目的を達成するための本発明の多機能衣料品は、縮小位置から拡張可能に形成され拡張されて頭部を被覆可能なシート状部材で形成された帽子部を備え、該帽子部を縮小位置でその長手方向が頭部の縦軸を軸とする周方向に沿って該頭部に付帯可能な一側表面及び他側表面を有した帯状に形成し、該帽子部の長手方向両端部に該帽子部を頭部に保持するためのシート状部材で形成された帯状の保持部を連設した構成としている。ここで、シート状部材とは、綿，麻や化繊などの織物、樹脂シートや革製シート等を含む概念である。
【０００８】
これにより、本多機能衣料品を使用するときは、例えば、ヘアバンドとして用いるときは、帽子部を縮小位置にして、主に帽子部を頭部の前側に付帯させ、保持部とともに頭部に巻回する。この場合、帽子部は帯状になっており、また、保持部も帯状であり、全体が帯状になっているとともに、帽子部及び保持部は布等のシート状部材で形成されていることから、帽子部及び保持部を容易に頭部に巻回させることができる。
また、帽子として用いるときは、帽子部を拡張して頭部に被覆するとともに、保持部を頭部に巻回する。この場合、帽子部を拡張するだけで頭部に被覆できるようになるので、操作性が向上させられる、この際、保持部で拡張した帽子部を頭部に対して押さえるようにすると保持が確実になる。
更に、ネックウォーマーとして用いるときは、帽子部を縮小位置にして全体を帯状にした状態で、あるいは、帽子部を拡張した状態にして、首に巻回する。この場合、帽子部を拡張した状態にして首に巻回すると、帽子部がふわふわするので、首との間に帽子部で覆われた空気が介在するようになり、そのため、保温効果が増す。
【０００９】
このように、本多機能衣料品によれば、少なくとも、帽子，ヘアバンド及びネックウォーマーとして形を変えて使用できるようになることから、機能性の向上が図られる。また、帽子部を頭部に被覆した場合には、頭部に巻回された保持部に拡張した帽子部が形成されるので、被り物として斬新なデザインになる。更に、ネックウォーマーとして用いる際、帽子部を拡張した状態にして首に巻回した場合にも、拡張された帽子部と帯状の保持部が首に巻回されるので、斬新なデザインとなり、品質が向上させられる。
【００１０】
一方、本多機能衣料品の非使用状態においては、身体から外しておく。この場合、帽子部を縮小位置にしておくと、帽子部は帯状になっており、また、保持部も帯状であり、しかも、帽子部及び保持部は布等のシート状部材で形成されていることから、帯状のものを折り畳みあるいは丸めて小さくしておくことができる。そのため、コンパクトになることから、ポケットやカバンなどに収納しやすく、持ち運びも容易になる。
【００１１】
そして、必要に応じ、上記帽子部を、該帽子部の長手方向に直交する方向に縮小及び拡張可能になるように規則的に折り畳み形成した構成としている。帽子部を規則的に折り畳み形成したので、縮小位置において確実に帯状にすることができるとともに、拡張時には折り畳みの山部の線と谷部の線が規則的に露出するので、斬新なデザインとなり、それだけ、品質が向上させられる。
【００１２】
また、必要に応じ、上記帽子部を、該帽子部の縮小位置における長手方向の中心線に対して該帽子部の縮小位置から該長手方向に直交する一方側に拡張する一方覆部及び他方側に拡張する他方覆部を備えて構成している。これにより、帽子部に連設された帯状の保持部は、帽子部の縮小位置における長手方向の中心線に沿って連設されることになることから、帽子部が拡張すると、帯状の保持部はこの拡張した帽子部の中間から延びることになり、そのため、帽子部を頭部に被覆して保持部により押さえて保持し易くなる。
【００１３】
この場合、上記一方覆部と他方覆部との拡張幅を異ならせたことが有効である。拡張幅の小さい方で頭部の額側を被覆し、拡張幅の大きい方で後頭部側を被覆するようにすると、帯状の保持部を頭部に巻回し易い位置に位置させることができ、それだけ、保持を確実にすることができる。
【００１４】
更に、必要に応じ、上記帽子部を、その長手方向に沿う一方辺，該一方辺に対向し上記長手方向に沿う他方辺，該一方辺と他方辺との間の一対の側辺を有した矩形状の布地を用い、該布地を縮小位置において所定幅になるように折り畳んで形成するとともに、上記縮小位置において、上記一方覆部を該帽子部の一側表面から他側表面に向けて上記一方側に露出する山部及び谷部が連続する蛇腹状に形成し、上記他方覆部を該帽子部の一側表面から他側表面に向けて上記他方側に露出する山部及び谷部が連続する蛇腹状に形成し、上記一方覆部と他方覆部との接合部が該帽子部の他側表面に露出するように形成し、該折り畳まれた布地の一対の側辺部を夫々縫合して形成した構成としている。一方覆部と他方覆部とを一枚の布地から容易に規則的に折り畳み形成することができる。
【００１５】
更にまた、必要に応じ、上記帽子部を、上記縮小位置において、上記布地の一方辺と他方辺とが対峙するように該一方辺と他方辺とを該帽子部の一側表面に露出して形成した構成としている。帽子部を拡張する際に、互いに対峙した布地の一方辺と他方辺とを夫々互いに逆方向に引っ張るだけで、帽子部を拡張させることができ、拡張操作性が向上させられる。また、布地の一方辺と他方辺とが対峙しているので、容易に指をさし入れやすく、この点でも、操作性が向上させられる。
【００１６】
また、必要に応じ、上記布地の表裏面を互いに異なるデザインにした構成としている。帽子部をリバーシブルに使用することができ、汎用性を増すことができる。
【００１７】
そしてまた、必要に応じ、上記保持部を、上記帽子部の長手方向両端部に基端部が夫々連設され互いに連結されて該帽子部を頭部に保持可能にする一対の帯状部材で構成している。一対の帯状部材同士を結束により連結し、あるいは、工業用ファスナーなど止着手段で連結することにより帽子部を頭部に保持できるので、装着が容易になる。
【００１８】
また、必要に応じ、上記保持部を、上記帽子部の長手方向両端部に縫合されて架設される１つの帯状部材で構成している。これにより、帽子部と保持部とで全体がループ状になるので、装着が容易になる。
【００１９】
この場合、上記保持部を伸縮可能にしたことが有効である。伸縮するので頭部の大きさが異なっていても、確実に装着することができる。また、伸長させてループを大きくできるので、首に巻回するときに便利になる。
【００２０】
更に、必要に応じ、上記保持部を袋状に形成し、該保持部内に一端が上記帽子部の長手方向一端部側に位置し他端が上記帽子部の長手方向他端側に位置するゴム紐を内装し、該保持部が上記ゴム紐の伸縮に対応できるように該ゴム紐の一端及び他端を縫合した構成としている。保持部を容易に伸縮可能に作成できる。
【００２１】
更にまた、必要に応じ、上記保持部を袋状に形成し、該保持部の上記帽子部の長手方向一端部側に第１開口を形成し、上記保持部の上記帽子部の長手方向他端側に第２開口を形成し、
第１ゴム紐を上記第１開口から先端が突出可能で基端側が上記第２開口側に位置するように上記保持部内に挿入し、該第１ゴム紐の先端部が上記第２開口側の内部に入り込むことを阻止する第１阻止部を設け、上記第１ゴム紐の基端の上記保持部に対する移動を規制する第１規制部を設け、
第２ゴム紐を上記第２開口から先端が突出し基端側が上記第１開口側に位置するように上記保持部内に挿入し、該第２ゴム紐の先端部が上記第１開口側の内部に入り込むことを阻止する第２阻止部を設け、上記第２ゴム紐の基端の上記保持部に対する移動を規制する第２規制部を設け、
上記第１ゴム紐の先端部と上記第２ゴム紐の先端部とを互いに反対方向に引っ張ることにより上記保持部を縮めるようにした構成としている。
第１ゴム紐と第２ゴム紐とを互いに反対方向に引っ張るだけで頭部に保持部を密着させゴムの弾性力で押さえることができ、装着がきわめて容易になる。
【００２２】
この場合、上記第１ゴム紐及び上記第２ゴム紐を、夫々、ループ状に形成して二条の紐部が略平行になるようにし、上記第１阻止部，第２阻止部，第１規制部及び第２規制部を、夫々、対応するゴム紐の二条の紐部間であって該紐部に沿って形成され上記保持部を縫合して形成される縫合壁で構成したことが有効である。ゴム紐が縫合壁で分離できるので、からみにくく、確実に押さえ機能を発揮させることができる。
【００２３】
また、この場合、上記保持部を、一枚の矩形の布地を用い、互いに対向する一対の辺部同士を縫合して構成し、該縫合により長手方向に延びる袋縫い線を形成し、上記第１開口及び第２開口を、上記袋縫い線上に沿う非縫合部で構成したことが有効である。第１開口及び第２開口を、保持部に穴を開けて形成する場合には、開口縁部を所謂ボタン穴縫いをして布がほつれないようにしなければならないが、第１開口及び第２開口を、互いに対向する一対の辺部で構成できるので、所謂ボタン穴縫いが不要になり、それだけ、製造が容易になる。
【発明の効果】
【００２４】
本発明によれば、少なくとも、帽子，ヘアバンド及びネックウォーマーとして形を変えて使用できるようになることから、機能性の向上を図ることができる。また、帽子部を頭部に被覆した場合には、頭部に巻回された保持部に拡張した帽子部が形成されるので、被り物として斬新なデザインにすることができる。更に、ネックウォーマーとして用いる際、帽子部を拡張した状態にして首に巻回した場合にも、拡張された帽子部と帯状の保持部が首に巻回されるので、斬新なデザインとなり、品質を向上させることができる。
【００２５】
また、本発明においては、身体から外しておく際には、帽子部を縮小位置にしておくと、帽子部は帯状になっており、また、保持部も帯状であり、しかも、帽子部及び保持部は布等のシート状部材で形成されていることから、帯状のものを折り畳みあるいは丸めて小さくしておくことができる。そのため、コンパクトになることから、ポケットやカバンなどに収納しやすく、収納性が向上させられ、持ち運びも容易になる。
【図面の簡単な説明】
【００２６】
【図１】本発明の実施の形態に係る多機能衣料品をその使用例とともに示す図である。
【図２】本発明の実施の形態に係る多機能衣料品を縮小位置の状態及び拡張する状態を示す斜視図である。
【図３】本発明の実施の形態に係る多機能衣料品を帽子として用いる際、縮小位置から拡張させる状態を示す断面図である。
【図４】本発明の実施の形態に係る多機能衣料品を帽子として用いたときの状態を示す図である。
【図５】本発明の実施の形態に係る多機能衣料品において、帽子部に対応する部分を作成する方法の一例を示す工程図（ａ〜ｈ）である。
【図６】本発明の実施の形態に係る多機能衣料品において、帽子部に対応する部分を作成する方法の一例を示す工程図（ｉ〜ｎ）である。
【図７】本発明の実施の形態に係る多機能衣料品において、保持部に対応する部分を作成する方法の一例を示す工程図（ａ〜ｆ）である。
【図８】本発明の実施の形態に係る多機能衣料品において、帽子部と保持部の接続部を、その接続方法の一例とともに示す工程図（ａ，ｂ）である。
【図９】本発明の実施の形態に係る多機能衣料品において、保持部の変形例を示す図である。
【図１０】本発明の実施の形態に係る多機能衣料品において、保持部の別の変形例を、これを作成する方法の一例とともに示す工程図（ａ，ｂ）である。
【図１１】本発明の実施の形態に係る多機能衣料品において、保持部の別の例を示す斜視図である。
【図１２】本発明の実施の形態に係る多機能衣料品において、帽子部の別の態様を示す断面図（ａ,ｂ）である。
【図１３】従来の衣料品の一例を示す図である。
【図１４】従来の衣料品の別の例を示す図である。
【発明を実施するための形態】
【００２７】
以下、添付図面に基づいて、本発明の実施の形態に係る多機能衣料品について詳細に説明する。
図１乃至図８には、実施の形態に係る多機能衣料品Ｔを示している。この多機能衣料品Ｔの基本的構成は、縮小位置Ｓから拡張可能に形成され拡張されて頭部を被覆可能な帽子部１と、この帽子部１の両端部に設けられ帽子部１を頭部に保持するための保持部１０とからなる。
【００２８】
帽子部１は、布等のシート状部材で形成されている。実施の形態では布製であり、縮小位置Ｓでその長手方向が頭部の縦軸を軸とする周方向に沿って頭部に付帯可能な一側表面２及び他側表面３を有した帯状に形成されている。
詳しくは、図５（ａ）に示すように、帽子部１は、その長手方向に沿う一方辺４，該一方辺４に対向し長手方向に沿う他方辺５，該一方辺４と他方辺５との間の一対の側辺６を有した矩形状の布地を用いて形成されている。一方辺４及び他方辺５は、折り返しされて縫合されており、端末処理がなされている。布地の表裏面は、互いに異なるデザインになっている。そして、図３及び図６（ｎ）に示すように、帽子部１は、この布地を縮小位置Ｓにおいて所定幅Ｈになるように折り畳んで形成されている。所定幅Ｈは、例えば、Ｈ＝２ｃｍ〜８ｃｍの範囲に設定される。実施の形態では、例えば、Ｈ＝４ｃｍ〜６ｃｍの範囲、具体的には、Ｈ＝４．５ｃｍに設定されている。また、図２に示すように、帽子部１の長さＬは、頭部の外周の１／３程度をカバーできる例えばＬ＝４０ｃｍ〜５０ｃｍに設定されている。
【００２９】
また、帽子部１は、図３に示すように、帽子部１の長手方向に直交する方向に縮小及び拡張可能になるように規則的に折り畳み形成されており、帽子部１の縮小位置Ｓにおける長手方向の中心線Ｐに対して該帽子部１の縮小位置Ｓから長手方向に直交する一方側Ｒａに拡張する一方覆部１Ａ及び他方側Ｒｂに拡張する他方覆部１Ｂを備えて構成されている。図３に示すように、縮小位置Ｓにおいて、一方覆部１Ａは、帽子部１の一側表面２から他側表面３に向けて、一方側Ｒａに露出する山部Ｙ（Ｙ１〜Ｙ４）及び谷部Ｘ（Ｘ１〜Ｘ３）が連続する蛇腹状に形成されている。また、他方覆部１Ｂは、帽子部１の一側表面２から他側表面３に向けて、他方側Ｒｂに露出する山部Ｙ（Ｙ５,Ｙ６）及び谷部Ｘ（Ｘ４）が連続する蛇腹状に形成されている。山部Ｙと谷部Ｘとの間隔は上記の所定幅Ｈに対応しており、隣接する山部Ｙと谷部Ｘとの間の布地は、帯状単体ｔとして構成される。更に、縮小位置Ｓで折り畳まれた布地の一対の側辺６部は夫々縫合されている。これにより、一方覆部１Ａと他方覆部１Ｂとを一枚の布地から容易に規則的に折り畳み形成することができる。
【００３０】
また、帽子部１は、縮小位置Ｓにおいて、布地の一方辺４と他方辺５とが対峙するように、一方辺４と他方辺５とを帽子部１の一側表面２に露出して形成されている。一方辺４と他方辺５とは中心線Ｐに沿うようになる。一方覆部１Ａと他方覆部１Ｂとの接合部７は、帽子部１の他側表面３に露出するように形成されている。接合部７は中心線Ｐに沿うようになる。そして、一方覆部１Ａと他方覆部１Ｂとの拡張幅は異なって形成されている。実施の形態では、図３に示すように、一方覆部１Ａは、山部Ｙの数が４つ（Ｙ１〜Ｙ４）、谷部Ｘの数が３つ（Ｘ１〜Ｘ３）に設定され、他方覆部１Ｂは、山部Ｙの数が２つ（Ｙ５,Ｙ６）、谷部Ｘの数が１つ（Ｘ４）に設定されている。また、一方覆部１Ａの一側表面２に位置する山部Ｙ１と他側表面３に位置する山部Ｙ４との間の蛇腹部分は、他方覆部１Ｂの他側表面３に位置する山部Ｙ５を構成する帯状単体ｔ間に集約されて挟まれている。他方覆部１Ｂの一側表面２に位置する山部Ｙ６と他側表面３に位置する山部Ｙ５との間の蛇腹部分は、一方覆部１Ａの一側表面２に位置する山部Ｙ１を構成する帯状単体ｔ間に挟まれている。
【００３１】
保持部１０は、布等のシート状部材で形成されている。実施の形態では、布製で帯状に形成され、帽子部１の長手方向両端部に連設されている。実施の形態においては、保持部１０は、帽子部１の長手方向両端部に縫合されて架設される１つの帯状部材で構成されている。保持部１０の幅Ｊ（図７（ｆ））は、縮小時における帽子部１の幅Ｈと同じ、Ｊ＝Ｈに設定されている。また、保持部１０は、袋状に形成されており、伸縮可能に形成されている。
【００３２】
詳しくは、図７（ｆ）に示すように、保持部１０の帽子部１の長手方向一端部側には、第１開口１１が形成され、保持部１０の帽子部１の長手方向他端側には、第２開口１２が形成されている。実施の形態では、図７に示すように、保持部１０は、一枚の矩形の布地を用い、互いに対向する一対の辺部同士を縫合し、この縫合により長手方向に延びる袋縫い線１３を形成し、袋縫い線１３が長手方向中心線Ｐ上に位置するように、これを裏返したものである。第１開口１１及び第２開口１２は、袋縫い線１３上に沿う非縫合部で構成されている。第１開口１１及び第２開口１２を、保持部１０に穴を開けて形成する場合には、穴の開口縁部を所謂ボタン穴縫いをして布がほつれないようにしなければならないが、第１開口１１及び第２開口１２を、互いに対向する一対の辺部で構成できるので、所謂ボタン穴縫いが不要になり、それだけ、製造が容易になる。
【００３３】
そして、図７（ｆ）に示すように、第１ゴム紐１４が、第１開口１１から先端が突出可能で基端側が第２開口１２側に位置するように保持部１０内に挿入されている。第１ゴム紐１４は、ループ状に形成されて二条の紐部が略平行になるようにして挿入されている。
保持部１０には、第１ゴム紐１４の先端部が第２開口１２側の内部に入り込むことを阻止する第１阻止部１５と、第１ゴム紐１４の基端の保持部１０に対する移動を規制する第１規制部１６とが設けられている。第１阻止部１５及び第１規制部１６は、第１ゴム紐１４の二条の紐部間であって該紐部に沿って形成され保持部１０を縫合して形成される縫合壁２０で構成されている。具体的には、縫合壁２０の第１開口１１側の端部２０ａは、第１開口１１の近傍に設けられており、第１阻止部１５は、この縫合壁２０の端部２０ａで構成されている。また、第１規制部１６は、縫合壁２０の第２開口１２側の端部２０ｂで構成されている。
更に、第１ゴム紐１４の先端部には樹脂製のビーズ玉２３が設けられている。この場合、ビーズ玉２３が第１開口１１より小さい場合は、第１開口１１から入り込むことがあるが、入り込んだとしても、縫合壁２０の第１開口１１側の端部２０ａに第１ゴム紐１４の先端部が係止して奥への挿入が阻止される。尚、ビーズ玉２３を第１開口１１より大きく形成しておけば、第１開口１１から内部に入り込むことを阻止する別の第１阻止部として構成することができる。
【００３４】
そしてまた、図７（ｆ）に示すように、第２ゴム紐１７が、第２開口１２から先端が突出可能で基端側が第１開口１１側に位置するように保持部１０内に挿入されている。第２ゴム紐１７は、ループ状に形成されて二条の紐部が略平行になるようにして挿入されている。
保持部１０には、第２ゴム紐１７の先端部が第１開口１１側の内部に入り込むことを阻止する第２阻止部１８と、第２ゴム紐１７の基端の保持部１０に対する移動を規制する第２規制部１９とが設けられている。第２阻止部１８及び第２規制部１９は、第２ゴム紐１７の二条の紐部間であって該紐部に沿って形成され保持部１０を縫合して形成される縫合壁２０で構成されている。具体的には、縫合壁２０の第２開口１２側の端部２０ｃは、第２開口１２の近傍に設けられており、第２阻止部１８は、この縫合壁２０の端部２０ｃで構成されている。また、第２規制部１９は、縫合壁２０の第１開口１１側の端部２０ｄで構成されている。
更に、第２ゴム紐１７の先端部には樹脂製のビーズ玉２３が設けられている。この場合、ビーズ玉２３が第２開口１２より小さい場合は、第２開口１２から入り込むことがあるが、入り込んだとしても、縫合壁２０の第２開口１２側の端部２０ｃに第２ゴム紐１７の先端部が係止して奥への挿入が阻止される。尚、ビーズ玉２３を第２開口１２より大きく形成しておけば、第２開口１２から内部に入り込むことを阻止する別の第２阻止部として構成することができる。
また、ゴム紐１４,１７が縫合壁２０で分離できるので、からみにくく、確実に押さえ機能を発揮させることができる。
【００３５】
この保持部１０は、図８に示すように、帽子部１を形成する縮小位置Ｓで折り畳まれた布地の一対の側辺６部が、保持部１０の袋状の端部に挿入され、縫合線が矩形状及び矩形の対角状になるように、縫合された縫合部２１を介して連設されている。この場合、実施の形態において、保持部１０は、袋縫い線１３が長手方向中心線Ｐ上に位置し、帽子部１の一側表面２と同一面側に位置するように、帽子部１に対して連接されている。
これにより、第１ゴム紐１４と第２ゴム紐１７を伸ばすことにより、保持部１０は元の長さになり、頭部に装着あるいは外すことができるようにしている。また、保持部１０を頭部に装着した際、第１ゴム紐１４の先端部と第２ゴム紐１７の先端部とを互いに反対方向に引っ張ることにより保持部１０が縮められ、ゴム紐１４,１７と布地と頭部との摩擦的な接触により、頭部に保持されるようにしている。
【００３６】
次に、図５乃至図８を用い、実施の形態に係る多機能衣料品Ｔの製造方法の一例を示す。縫合はミシンを用いる。図５及び図６に示すように、先ず、予め帽子部１に対応する部分を作成する。予め、矩形状の布地を用意し、相対向する一対の辺の組において、各辺部を折り返し、縫合して端末処理をし、この端末処理をして構成される辺を、一方辺４及び他方辺５とする（図５（ａ））。一方辺４と他方辺５との間の一対の側辺６は特に端末処理は行わなくても良い。この布地は、帯状単体ｔの幅をＨ（実施の形態では、Ｈ＝４．５ｃｍ）としたとき、端末処理をした矩形の布地の側辺６の長さＭａ（一方辺４及び他方辺５間の長さ）が、Ｍａ＝１０Ｈ（実施の形態ではＭａ＝４５ｃｍ）になるように、また、一方辺４（他方辺５）の長さＭｂが、上記の帽子部１の長さＬと保持部１０との縫合部２１の長さＮ（図８（ｂ））とをたし合わせた、Ｍｂ＝Ｌ＋Ｎ（実施の形態ではＭｂ＝４８ｃｍ）になるようにする。
【００３７】
次に、一方辺４及び他方辺５から（１／２）Ｈの寸法のところを夫々折る（図５（ｂ））。次に、一方辺４を他方辺５を衝合させて２つ折りにし（図５（ｃ）（ｄ））、それから、一方辺４を他方辺５のあるところを寸法Ｈ分逆に折り曲げ（図５（ｅ））、一側表面２を形成する（図５（ｆ））。
それからまた、この一側表面２が形成された布地を、一側表面２が外側になるように、２つ折りにし（図５（ｇ））、更に、２つ折りにする（図５（ｈ））。この状態のものを、アイロン掛けし、折り目に癖をつける（図６（ｉ））。
【００３８】
次に、一側表面２を形成した状態（図５（ｆ）と同じ状態）に展開し（図６（ｊ））、一側表面２の反対側の面において、一側表面２を構成する山部Ｙ１のある端部とは反対側の端部の山部Ｙ３から１つ目の折り目（谷部）及び２つ目の折り目（山部）を夫々反転させて山部Ｙ２及び谷部Ｘ２とし（図６（ｋ））、再び、この折り目に従って、折り重ね、帽子部１に対応する部分を完成させる（図６（ｌ）（ｍ）（ｎ））。
【００３９】
一方、予め、保持部１０に対応する部分を作成する。図７に示すように、矩形の布地を用意する。この布地の互いに対向する一対の辺部同士を縫合し（図７（ａ）（ｂ））、この縫合により長手方向に延びる袋縫い線１３を形成し、袋縫い線１３が長手方向中心線Ｐ上に位置するように、これを裏返す（図７（ｃ））。保持部１０の幅Ｊは、縮小時における帽子部１の幅Ｈと同じ、Ｊ＝Ｈ（実施の形態では４．５ｃｍ）になるようにする。この、袋縫い線１３を施す際には、図７（ａ）に示すように、第１開口１１及び第２開口１２に対応する部位を、非縫合とする。この非縫合の長さＥａは、例えば、Ｅａ＝１ｃｍとする。また、非縫合部の外側端部を、保持部の端縁から例えばＥｂ＝５ｃｍのところに位置させる。そして、長手方向に沿う側縁と袋縫い線１３との間の表裏を、長手方向に所要長さ縫合し、一対の縫合壁２０を形成する（図７（ｄ））。縫合壁２０の長さＨｄは、第１及び第２の開口の内側の距離をＥｃとしたとき、Ｅｄ＝Ｅｃとすることが望ましい。
【００４０】
次に、第１ゴム紐１４を、第１開口１１から挿入して縫合壁２０を周回させてループ状に挿入し、第１開口１１から先端を突出させ基端側が第２開口１２側に位置するようにする（図７（ｅ））。第２ゴム紐１７を、第２開口１２から挿入して縫合壁２０を周回させてループ状に挿入し、第２開口１２から先端を突出させ基端側が第１開口１１側に位置するようにする（図７（ｅ））。それから、ゴム紐１４,１７の先端部にビーズ玉２３を設け、保持部１０に対応する部分を完成させる（図７（ｆ））。
【００４１】
最後に、図８に示すように、保持部１０の袋状の両端部に、帽子部１を形成する縮小位置Ｓで折り畳まれた布地の一対の側辺６部を、夫々、挿入し（図８（ａ））、縫合線が矩形状及び矩形の対角状になるように、縫合して、縫合部２１を介して、保持部１０を帽子部１に連設する（図８（ｂ））。この場合、実施の形態において、保持部１０は、袋縫い線１３が長手方向中心線Ｐ上に位置し、帽子部１の一側表面２と同一面側に位置するように、帽子部１に対して連接する。これにより、製品となる。
【００４２】
このように製造される本発明の実施の形態に係る多機能衣料品Ｔを使用するときは、以下のようにする。
＜ヘアバンドとして使用＞
ヘアバンドとして用いるときは、図１（ａ）に示すように、帽子部１を縮小位置Ｓにして、主に帽子部１を頭部の前側に付帯させ、保持部１０とともに頭部に巻回する。帽子部１は規則的に折り畳み形成されているので、縮小位置Ｓにおいて確実に帯状にすることができる。この場合、帽子部１は帯状になっており、また、保持部１０も帯状であり、全体が帯状になっているとともに、帽子部１及び保持部１０は布製であることから、帽子部１及び保持部１０を容易に頭部に巻回させることができる。特に、保持部１０は、帽子部１の長手方向両端部に縫合されて架設されているので、帽子部１と保持部１０とで全体がループ状になっており、そのため、装着が容易になる。この状態で、第１ゴム紐１４と第２ゴム紐１７とを互いに反対方向に引っ張る。この場合、頭部に帽子部１及び保持部１０を密着させゴムの弾性力で押さえることができるので、確実に装着することができる。また、第１ゴム紐１４及び第２ゴム紐１７により、保持部１０が伸縮するので頭部の大きさが異なっていても、確実に装着することができる。
【００４３】
＜帽子として使用＞
また、帽子として用いるときは、図１（ｂ）,図２乃至図４に示すように、帽子部１を拡張して頭部に被覆するとともに、保持部１０を頭部に巻回する。
帽子部１を拡張するだけで頭部に被覆できるようになるので、操作性が向上させられる。この帽子部１の拡張の際には、一方覆部１Ａを長手方向に直交する一方側Ｒａに拡張し、他方覆部１Ｂを他方側Ｒｂに拡張する。この場合、一方覆部１Ａと他方覆部１Ｂとの拡張幅が異なっているので、拡張幅の小さい方で頭部の額側を被覆し、拡張幅の大きい方で後頭部側を被覆するようにすることができる。そのため、帯状の保持部１０を頭部に巻回し易い位置に位置させることができ、それだけ、保持を確実にすることができる。
また、帽子部１の拡張の際には、布地の一方辺４と他方辺５とが対峙して一側表面２に露出しているので、互いに対峙した布地の一方辺４と他方辺５とを夫々互いに逆方向に引っ張るだけで、帽子部１を拡張させることができ、拡張操作性が向上させられる。また、布地の一方辺４と他方辺５とが対峙しているので、容易に指をさし入れやすく、この点でも、操作性が向上させられる。
【００４４】
また、保持部１０で拡張した帽子部１を頭部に対して押さえるようにすると保持が確実になる。この際には、第１ゴム紐１４と第２ゴム紐１７とを互いに反対方向に引っ張る。この場合、頭部に帽子部１及び保持部１０を密着させゴムの弾性力で押さえることができるので、確実に装着することができる。また、第１ゴム紐１４及び第２ゴム紐１７により、保持部１０が伸縮するので頭部の大きさが異なっていても、確実に装着することができる。また、帽子部１は、長手方向に直交する一方側Ｒａに拡張する一方覆部１Ａ及び他方側Ｒｂに拡張する他方覆部１Ｂを備えているので、帽子部１に連設された帯状の保持部１０は、帽子部１の縮小位置Ｓにおける長手方向の中心線Ｐに沿って連設されることになることから、帽子部１が拡張すると、帯状の保持部１０はこの拡張した帽子部１の中間から延びることになり、そのため、帽子部１を頭部に被覆して保持部１０により押さえて保持し易くなる。
【００４５】
帽子部１を頭部に被覆した状態では、図４に示すように、頭部に巻回された保持部１０に拡張した帽子部１が形成されるので、被り物として斬新なデザインになる。特に、帽子部１を規則的に折り畳み形成したので、拡張時には折り畳みの山部Ｙの線と谷部Ｘの線が規則的に露出するので、斬新なデザインとなり、それだけ、品質が向上させられる。
【００４６】
＜ネックウォーマー（マフラー）として使用＞
ネックウォーマーとして用いるときは、図１（ｃ）に示すように、帽子部１を縮小位置Ｓにして全体を帯状にした状態で、あるいは、帽子部１を拡張した状態にして、首に巻回する。この状態で、第１ゴム紐１４と第２ゴム紐１７とを互いに反対方向に引っ張ると、ループの大きさを調整できるので、確実に装着することができる。また、第１ゴム紐１４及び第２ゴム紐１７により、保持部１０が伸縮するので頭部の大きさが異なっていても、確実に装着することができる。この場合、帽子部１を拡張した状態にして首に巻回すると、帽子部１がふわふわするので、首との間に帽子部１で覆われた空気が介在するようになり、そのため、保温効果が増す。首に装着した状態では、拡張された帽子部１と帯状の保持部１０が首に巻回されるので、斬新なデザインとなり、品質が向上させられる。
【００４７】
また、本多機能衣料品Ｔによれば、布地の表裏面を互いに異なるデザインにした構成としているので、帽子部１をリバーシブルに使用することができ、汎用性を増すことができる。その他、本多機能衣料品Ｔによれば、上記の使用に限定されず、例えば、顔を覆うフェイスマスクとして用いても良い。また、腕や足首に巻いたりすることもでき、適宜に用いて良い。このように、本多機能衣料品Ｔによれば、少なくとも、帽子，ヘアバンド及びネックウォーマーとして形を変えて使用できるようになることから、機能性の向上が図られる。
【００４８】
一方、本多機能衣料品Ｔの非使用状態においては、身体から外しておく。この場合、帽子部１を縮小位置Ｓにしておくと、帽子部１は帯状になっており、また、保持部１０も帯状であり、しかも、帽子部１及び保持部１０は布製であることから、帯状のものを折り畳みあるいは丸めて小さくしておくことができる。そのため、コンパクトになることから、ポケットやカバンなどに収納しやすく、持ち運びも容易になる。この場合、帽子部１は、規則的に折り畳み形成されているので、縮小位置Ｓにおいて確実に帯状にすることができる。
【００４９】
図９には、保持部１０の変形例を示している。これは、布地を袋状に形成し、第１開口１１及び第２開口１２を、長手方向中心線Ｐを境に両側であって左右に形成し、即ち対角位置にあるように形成し、この開口の開口縁部を、所謂ボタン穴縫いをして布がほつれないようにする。また、長手方向中心線Ｐと側縁との間の表裏を、長手方向に所要長さ縫合し、一対の縫合壁２０を形成する。それから、第１ゴム紐１４を、第１開口１１から挿入して一方側の縫合壁２０を周回させてループ状に挿入し、第１開口１１から先端を突出させ基端側が第２開口１２側に位置するようにする。それから、先端部にビーズ玉２３を設ける。また、第２ゴム紐１７を、第２開口１２から挿入して他方の縫合壁２０を周回させてループ状に挿入し、第２開口１２から先端を突出させ基端側が第１開口１１側に位置するようにする。それから、先端部にビーズ玉２３を設ける。この場合、開口１１，１２の開口縁部を所謂ボタン穴縫いしているので、手間がかかるが、見栄えが良くなる。他の作用,効果は上記と同様である。
【００５０】
図１０には、保持部１０の別の変形例を示している。これは、保持部１０を袋状に形成し、この保持部１０内に一端が上記帽子部１の長手方向一端部側に位置し他端が上記帽子部１の長手方向他端側に位置するゴム紐３０を内装し、保持部１０をひだが形成されるように縮めてゴム紐の一端及び他端を保持部１０の端部に縫合し、保持部１０がゴム紐の伸縮に対応できるようにして、保持部１０を伸縮可能にしている。保持部１０を容易に伸縮可能に作成できる。他の作用,効果は上記と同様である。
【００５１】
図１１には、保持部１０の別の例を示している。この保持部１０は、帽子部１の長手方向両端部に基端部が夫々連設され先端部側を互いに結束することにより帽子部１を頭部に保持可能にする一対の帯状部材で構成されている。一対の帯状部材同士を結束により連結することにより帽子部１を頭部に保持できるので、装着が容易になる。また、一方の帯状部材に係合部を有し、他方の帯状部材に係合部に係合する被係合部を有した工業用ファスナーからなる止着手段（図示せず）を設け、この工業用ファスナーで連結するようにしても良い。ボタンとボタン穴からなる止着手段（図示せず）、フックとこれに係合するリングからなる止着手段（図示せず）を設けて連結するようにしても良く、適宜変更してよい。他の作用,効果は上記と同様である。
【００５２】
尚、上記実施の形態では、第１ゴム紐１４及び第２ゴム紐１７をループ状にしてその先端部にビーズ玉２３を設けたが、必ずしも設けなくても良い。この場合、第１ゴム紐１４及び第２ゴム紐１７が単にループ状になっているので、第１ゴム紐１４の先端部及び第２ゴム紐１７の先端部を保持部１０内部に入れて収納して見えないように隠すことができ、見栄えを良くすることができる。この際、第１ゴム紐１４及び第２ゴム紐１７はループ状なので、第１ゴム紐１４の先端部が第１開口１１から入り込み、あるいは、第２ゴム紐１７の先端部が第２開口１２から入り込んだとしても、第１阻止部１５（縫合壁２０の第１開口１１側の端部２０ａ)に第１ゴム紐１４の先端部が係止し、あるいは、第２阻止部１８（縫合壁２０の第２開口１２側の端部２０ｃ)に第２ゴム紐１７の先端部が係止し、奥への挿入が阻止される（図７（ｆ））。また、第１阻止部１５は第１開口１１の近傍に位置し、第２阻止部１８は第２開口１２の近傍に位置しているので、第１ゴム紐１４の先端部及び第２ゴム紐１７の先端部の引き出しも容易になる。そしてまた、ビーズ玉２３を用いない場合には、例えば、医療の分野において、この多機能衣料品を装着してレントゲン撮影やＭＲＩ等のＣＴスキャンを行う場合に、撮影の障害になるものがなく、極めて有用になる。また、ゴムが経年変化しても容易に交換が可能である。
【００５３】
また、上記実施の形態では、帽子部１の構成を、図３に示すように、一方覆部１Ａにおいて、山部Ｙの数を４つ、谷部Ｘの数を３つに設定し、他方覆部１Ｂにおいて、山部Ｙの数を２つ、谷部Ｘの数を１つに設定したが、必ずしもこれに限定されるものではなく、例えば、図１２（ａ）に示すように、一方覆部１Ａにおいて、山部Ｙの数を５つ、谷部Ｘの数を４つに設定し、他方覆部１Ｂにおいて、山部Ｙの数を３つ、谷部Ｘの数を２つに設定し、あるいはまた、図１２（ｂ）に示すように、一方覆部１Ａにおいて、山部Ｙの数を６つ、谷部Ｘの数を５つに設定し、他方覆部１Ｂにおいて、山部Ｙの数を５つ、谷部Ｘの数を４つに設定する等、適宜変更して差し支えない。
尚また、上記の実施の形態においては、帽子部１及び保持部１０を、綿，麻や化繊などの織物を主とする布製にしたが、必ずしもこれに限定されるものではなく、樹脂シートや革製シート等、他のシート状部材で構成してよいことは勿論である。
【産業上の利用可能性】
【００５４】
本発明は、あらゆる人が装着できる多機能衣料品であり、病気や加齢等による脱毛や薄毛などの人が用いることもできる。抗がん剤によるがん治療や加齢に起因して頭髪を失ったりで頭髪が薄くなったりしてしまった場合、精神的に大きな苦痛や負担及び身体的にも影響をもたらす。そのため、その頭部の状態を人目に曝すことのないように装うこと、また、頭髪に代わって、頭皮の保護、頭部体温の調節等を補完できるようにすることが重要になっている。本発明によれば、誰でも装着し易く、しかも、帽子にしたときの保持が確実で、デザインも斬新なことから、脱毛や薄毛を人目に曝さないように身だしなみを整えるという目的をごく自然な状態で達成することを可能とし、極めて有用になる。
【符号の説明】
【００５５】
Ｔ  多機能衣料品
１  帽子部
１Ａ  一方覆部
１Ｂ  他方覆部
Ｓ  縮小位置
２  一側表面
３  他側表面
４  一方辺
５  他方辺
６  側辺
７  接合部
Ｐ  中心線
Ｒａ  一方側
Ｒｂ  他方側
Ｙ  山部
Ｘ  谷部
ｔ  帯状単体
１０  保持部
１１  第１開口
１２  第２開口
１３  袋縫い線
１４  第１ゴム紐
１５  第１阻止部
１６  第１規制部
１７  第２ゴム紐
１８  第２阻止部
１９  第２規制部
２０  縫合壁
２１  縫合部
３０  ゴム紐
【図１】
2012122172.tif 000003
【図２】
2012122172.tif 000004
【図３】
2012122172.tif 000005
【図４】
2012122172.tif 000006
【図５】
2012122172.tif 000007
【図６】
2012122172.tif 000008
【図７】
2012122172.tif 000009
【図８】
2012122172.tif 000010
【図９】
2012122172.tif 000011
【図１０】
2012122172.tif 000012
【図１１】
2012122172.tif 000013
【図１２】
2012122172.tif 000014
【図１３】
2012122172.tif 000015
【図１４】
2012122172.tif 000016